(57)【要約】【課題】  レンズ装置等において、駆動装置が有するコネクタ部が、着脱の際（特に、装着の際）に破損しにくくすること。【解決手段】  光学部材と、第１の端子９を有する第１のコネクタ部５とを有するレンズ本体１と、光学部材を駆動する駆動部と、第２の端子７を有する第２のコネクタ部６とを有する駆動装置２とを備え、駆動装置２をレンズ本体１に装着する際、光学部材と駆動部とが機械的に接続され、第１の端子９と第２の端子７とが電気的に接続されるレンズ装置であって、第２のコネクタ部６は、第２の端子７の周囲を覆う凸部８を有し、第１のコネクタ部５は、凸部８と嵌合する凹部１０を有する。【選択図】  図１
2015200703.tif 000002
【特許請求の範囲】
【請求項１】
光学部材と、第１の端子を有する第１のコネクタ部とを有するレンズ本体と、
前記光学部材を駆動する駆動部と、第２の端子を有する第２のコネクタ部とを有する駆動装置と、を備え、
前記駆動装置を前記レンズ本体に装着する際、前記光学部材と前記駆動部とが機械的に接続され、前記第１の端子と前記第２の端子とが電気的に接続されるレンズ装置であって、
前記第２のコネクタ部は、前記第２の端子の周囲を覆う凸部を有し、
前記第１のコネクタ部は、前記凸部と嵌合する凹部を有することを特徴とするレンズ装置。
【請求項２】
前記凸部は、前記第２の端子を囲繞する輪形であることを特徴とする請求項１に記載のレンズ装置。
【請求項３】
前記凸部は、前記第２の端子の周囲の一部を覆う形状であることを特徴とする請求項１に記載のレンズ装置。
【請求項４】
前記第２の端子の周囲の一部とは、前記駆動装置を前記レンズ本体に装着する際に、前記第２の端子に負荷が掛かる方向であることを特徴とする請求項３に記載のレンズ装置。
【請求項５】
前記凸部の厚みは不均一であることを特徴とする請求項１乃至４の何れかに記載のレンズ装置。
【請求項６】
前記凸部の高さは不均一であることを特徴とする請求項１乃至５の何れかに記載のレンズ装置。
【請求項７】
前記凸部は、前記第２の端子の位置決めをガイドすることを特徴とする請求項１乃至６の何れかに記載のレンズ装置。
【請求項８】
前記凸部の高さは、前記第２の端子の高さよりも高いことを特徴とする請求項１乃至７の何れかに記載のレンズ装置。
【請求項９】
前記凸部は、凸方向に進退可能であることを特徴とする請求項１乃至８の何れかに記載のレンズ装置。
【請求項１０】
請求項１乃至９の何れかに記載のレンズ装置と、
前記レンズ本体により形成された光学像を受光する撮像素子を有するカメラ装置と、を備えることを特徴とする撮像装置。
【請求項１１】
光学部材と、第１の端子を有する第１のコネクタ部とを有し、駆動装置を装着する際、前記光学部材に前記駆動装置の駆動部が機械的に接続され、前記第１の端子に前記駆動装置の第２の端子が電気的に接続されるレンズ本体であって、
前記第１のコネクタ部は、前記第２の端子の周囲を覆う凸部と嵌合する凹部を有することを特徴とするレンズ本体。
【請求項１２】
レンズ本体の光学部材を駆動する駆動部と、第２の端子を有する第２のコネクタ部とを有し、前記レンズ本体に装着する際、前記駆動部は前記光学部材に機械的に接続し、前記第２の端子は前記レンズ本体の第１の端子に電気的に接続する駆動装置であって、
前記第２のコネクタ部は、前記第２の端子の周囲を覆う凸部を有することを特徴とする駆動装置。
【発明の詳細な説明】
【技術分野】
【０００１】
本発明は、レンズ装置及びそれを備える撮像装置並びに駆動装置に関する。
【背景技術】
【０００２】
プロ用途の動画撮影に用いられるレンズ装置には、人の手では困難な超低速ズームや固定画角のショット撮影をスムーズに行う為に、レンズ装置の諸操作を電動駆動できる駆動装置が付設されている事が一般的である。
【０００３】
レンズ装置の使用方法が多様化した昨今、このようなレンズ装置においては、シネマ用途の使い方の様に、レンズ本体（レンズ装置から駆動装置を除いた部分）単独での運用したい場合も生じる。よって、レンズ装置の駆動装置は、レンズ装置に固定されているだけでなく、着脱可能な構造とする事例が増加している。
【０００４】
このように、駆動装置がレンズ本体に対して着脱可能な撮像装置は、以下に提唱されている。
【先行技術文献】
【特許文献】
【０００５】
【特許文献１】特開平８−９２０７号公報
【発明の概要】
【発明が解決しようとする課題】
【０００６】
特許文献１の構造では、レンズ制御に用いる他方の駆動装置に、着脱可能な駆動装置が提唱されている。
【０００７】
提唱されている駆動装置に接点構造（以下、「コネクタ構造」ともいう）を配し、これを着脱可能とした場合、レンズ本体に駆動装置を装着する過程において、以下のような課題が存在する。
【０００８】
レンズ本体や駆動装置に付設される接点部（以下、「コネクタ部」ともいう）は、情報授受の種別に応じて接点（以下、「端子」ともいう）の数が定まり、接点構造に必要な体積が定まる。
【０００９】
しかし、通常のレンズ情報として必要な接点の数を確保することを優先するため、筐体サイズの制約から機械的強度を十分に確保することが困難であった。
【００１０】
したがって、駆動装置をレンズに装着する際に、接点部へ負荷が加わると破損し、通信不能となってしまう。
【００１１】
このように、特許文献１で提唱されている構造に対し、単に接点構造を付設するだけでは、接点部の破損を回避する脱着操作が著しく困難であるという課題が生じてしまう。
【００１２】
本発明は、上述の課題解決の一手段として提唱されるものであり、レンズ装置等において、駆動装置が有するコネクタ部が、着脱の際（特に、装着の際）に破損しにくくすることを目的とする。
【課題を解決するための手段】
【００１３】
上記目的を達成する為に、本発明のレンズ装置は、光学部材と、第１の端子を有する第１のコネクタ部とを有するレンズ本体と、光学部材を駆動する駆動部と、第２の端子を有する第２のコネクタ部とを有する駆動装置とを備え、駆動装置をレンズ本体に装着する際、光学部材と駆動部とが機械的に接続され、第１の端子と第２の端子とが電気的に接続されるレンズ装置であって、第２のコネクタ部６、第２の端子の周囲を覆う凸部を有し、第１のコネクタ部は、その凸部と嵌合する凹部を有することを特徴とする。
【発明の効果】
【００１４】
本発明に拠れば、レンズ装置等において、駆動装置が有するコネクタ部が、着脱の際（特に、装着の際）に破損しにくくすることができる。
【図面の簡単な説明】
【００１５】
【図１】本発明の実施例における、レンズ装置（レンズ本体及び駆動装置）の概略構造図
【図２】第一の実施例における、第２のコネクタ部の詳細図
【図３】第一の実施例における、第１のコネクタ部の詳細図
【図４】第一の実施例における、駆動装置の装着姿勢の説明図
【図５】第一の実施例における、第１のコネクタ部と第２のコネクタ部の接続状態の説明図
【図６】第二の実施例における、第２のコネクタ部の詳細図
【図７】第二の実施例における、第１のコネクタ部の詳細図
【図８】第二の実施例における、駆動装置の装着姿勢の説明図
【図９】第二の実施例における、第２のコネクタ部の詳細図
【図１０】第二の実施例における、第１のコネクタ部の詳細図
【図１１】第二の実施例における、第１のコネクタ部と第２のコネクタ部の接続状態の説明図
【発明を実施するための形態】
【００１６】
以下に、本発明の好ましい実施の形態を、添付の図面に基づいて詳細に説明する。
【実施例１】
【００１７】
図１は、本発明の実施形態における、レンズ装置（レンズ本体１及び駆動装置２）の概略構造図である。図２は、本発明の第一の実施形態における、第２のコネクタ部の詳細図である。図３は、本発明の第一の実施形態における、第１のコネクタ部の詳細図である。図４は、本発明の第一の実施形態における、駆動装置の装着姿勢の説明図である。図５は、本発明の第一の実施形態における、第１のコネクタ部と第２のコネクタ部の接続状態の説明図である。
【００１８】
図１に示すように、１はレンズ本体、２はレンズ本体１を電動駆動する為の駆動装置、２０はレンズ本体１により形成された光学像を受光する撮像素子２１を有するカメラ装置である。
【００１９】
レンズ本体１は、ズーミングを行うズーム操作部材３ａ、フォーカシングを行うフォーカス操作部材３ｂ、光量調整を行うアイリス操作部材３ｃからなる操作部材３を有する。フォーカス操作部材３ａは、レンズ本体が有するフォーカスレンズ（光学部材。図示せず）を駆動するための操作部材である。ズーム操作部材３ｂは、レンズ本体が有するズームレンズ（光学部材。図示せず）を駆動するための操作部材である。アイリス操作部材３ｃは、レンズ本体が有する開口絞り（光学部材。図示せず）を駆動するための操作部材である。
【００２０】
駆動装置２の駆動部２ａのギア（図示せず）は操作部材３のギアに嵌合することで、レンズ本体１の光学部材と機械的に連結する。この状態で駆動部２ａが駆動することにより、操作部材３を介してレンズや開口絞りの電動操作を成す事が出来る。駆動装置２は、レンズ本体１に複数配された駆動装置固定部４に、着脱可能に固定する事が出来る構造となっている。
【００２１】
更に、レンズ本体１は、レンズ駆動やカメラとの通信を行う為のレンズ接点部（第１のコネクタ部）５を有する。駆動装置２は、駆動装置２がレンズ本体１に装着された状態において、レンズ接点部５と相対する位置に、駆動装置接点部（第２のコネクタ部）６を有する。つまり、駆動装置接点部６は、レンズ接点部５に対応し、駆動装置２をレンズ本体１に装着する際に、レンズ接点部５に電気的に接続されるものである。
【００２２】
図２（ａ）、（ｂ）に示すように、駆動装置接点部６は、通信に要する所定の配線数に応じた接点ピン（第２の端子）７ａ〜７ｆが配される。また、接点ピン（接点ピンの集合）７よりも相対的に高い、壁面構造（凸部）８を有する。壁面構造８は、接点ピン７ａ〜７ｆの周囲を覆い、接点ピン７ａ〜７ｆを囲繞する輪形である。
【００２３】
更に、図３（ａ）、（ｂ）で示すように、レンズ接点部５の、駆動装置接点部６に相対する位置に接点面（第１の端子）９ａ〜９ｆが配される。また、レンズ接点部５は、図３（ｃ）に示す如く、両接点（接点ピン７ａ〜７ｆと接点面９ａ〜９ｆ）が、装着するときに確実に接続される取り付け関係になるように、壁面構造８の受け部（凹部）１０を有する。受け部１０は、壁面構造８と嵌合する。
【００２４】
接点ピン７や接点面９は、レンズ本体１や駆動装置２を含む装置全体の体積を小さくする必要がある為、相対的にレンズ本体１の体積に対して極小に構成される事が常である。また、接点ピン７はバネ（図示せず）により、凸方向に進退可能に付勢される機構を有しており、外力が加わると破損し易い。よって、接点ピン７や接点面９は、機械的な強度を確保することが困難である場合が多い。
【００２５】
次に、図４（ａ）、（ｂ）を用いて、レンズ本体１と駆動装置２の着脱するときにおける取り付け姿勢に応じた、接点構造について説明する。
【００２６】
レンズ本体１に駆動装置２を装着する際に取り得る姿勢に応じて、駆動装置接点部６への干渉危険性が生じる。
【００２７】
図４（ａ）に示す装着姿勢では、駆動装置接点部６は駆動装置２の筐体が先にレンズ本体１に触れる為に接点ピン７への負荷が加わることは無い。
【００２８】
しかし、図４（ｂ）に示す装着姿勢では、レンズ本体１若しくはレンズ接点部５近傍と駆動装置接点部６とは近接、或いは干渉する危険性が生じる。
【００２９】
このとき、図５に示すように壁面構造８は接点ピン７ａ〜７ｆよりもレンズ本体１側に高く付設されている。よって、駆動装置接点部６とレンズ本体１とが干渉した場合でも、先に壁面構造８が当たる事となり、機械的強度が低い接点ピン７への負荷が加わる事を回避する事が出来る。
【００３０】
最終的にレンズ本体１に駆動装置２が装着固定される段階では、接点ピン７と接点面９が先に接続された後、壁面構造８はレンズ側の受け部１０の領域に納まる位置関係を成しており、確実に接点同士の接続が為されるようになっている。
【００３１】
上述の実施例に拠れば、本構造を有することで着脱するときに生じる不用意な操作に伴う接点部の損傷を効果的に防ぐ事が出来、着実安定に撮影者が駆動装置の有無を任意に選択して使用する事が出来る。
【００３２】
更に接続ピンの損傷を防ぐことでレンズ装置の長寿命化を図る事も可能とする。
【実施例２】
【００３３】
以下、図６から図１１を参照して、本発明の第２の実施例による接点構造について、実施例１と同一の構成内容に関しては同一の番号を用いて説明する。
【００３４】
図６（ａ）、（ｂ）に示すように、１１は、後述するレンズ本体１のレンズ接点部（第１のコネクタ部）１２に相対する駆動装置接点部（第２のコネクタ部）である。接点ピン（第２の端子）７の周囲に壁面構造（凸部）１３を有する。壁面構造１３の一部、または複数個所には、挿入ガイド部１４ａ〜１４ｄを有する。壁面構造（凸部）１３は、厚みが不均一であり、挿入ガイド部１４ａ〜１４ｄは、壁面構造（凸部）１３の他の部分よりも厚みが厚い。
【００３５】
さらに、図７（ａ）、（ｂ）に示すように、接点面（第１の端子）９の周囲に、挿入ガイド部１４に嵌め合い設定される挿入ガイド受け部１５を有する。駆動装置２をレンズ本体１に装着する際、該挿入ガイド部１４を挿入ガイド受け部１５目掛けて装着することで、装着するときに駆動装置２が取り得る様々な姿勢を限定する。壁面構造１３の位置決めをガイドする。また、それと共に、機械的強度の低い接点ピン７を保護する装着姿勢を取るようにする。
【００３６】
図６、７の通り本提案における接点構造では、挿入ガイド１４と挿入ガイド受け部１５とで定まる装着姿勢が、接点ピン７の損傷を防ぐ壁面構造１３の一部で構成されることにより構造の簡略化を成し、装置全体の大型化を防ぐ事が出来る。
【００３７】
また、派生構造として、後述する駆動装置接点部（第２のコネクタ部）１６と、壁面構造（凸部）１７とを、特定の方向に限定して形成する構造も有効である。たとえば、駆動装置２の装着するときに、駆動装置接点部１６（接点ピン７）に負荷が加わる危険性のある方向（負荷が掛かる方向）に限定して付設する構造も有効である。
【００３８】
図８には、レンズ本体１への駆動装置２の装着するときの姿勢では、構造的に矢印Ａ方向の取り付け姿勢のときが、駆動装置接点部１６への負荷印加危険性が生じるが、他の取り付け姿勢において構造体が干渉危険性を回避できることを示している。
【００３９】
従って図９（ａ）、（ｂ）に示すように、壁面構造１７は、駆動装置接点部１６の一部に限定して付設することでも十分に機能を発揮し得る。
【００４０】
このとき、図１０（ａ）、（ｂ）に示すように、先述の挿入ガイド形状と為す事も可能であり、レンズ側の挿入ガイド受け部形状１８に相対する位置に付設すればよく、図１１に示すように装着状態も接続ピンが着実に接触する構造を維持可能になっている。
【００４１】
以上、説明したように、レンズとの着脱が可能な駆動装置が有する接点構造に、構造保護の為の壁面構造にガイド部を設けることで、接点構造に負荷が加わる不用意な姿勢を回避し、着実な固定作業を行う事を可能としている。
【００４２】
更に、壁面構造は簡略化しても、固定姿勢の限定化に拠る負荷印加回避と、挿入位置の位置決めを可能としている。
【００４３】
上述の実施例に拠れば、本構造を有することで、着脱するときに接点部の損傷が生じる装着姿勢を、ガイド構造で効果的に回避する事が出来、着実安定に撮影者が駆動装置の有無を任意に選択して使用する事が出来る。
【００４４】
更に接続ピンの損傷を防ぐことで、レンズ装置の長寿命化を図る事も可能とする。
【００４５】
以上、本発明の好ましい実施形態について説明したが、本発明はこれらの実施形態に限定されず、その要旨の範囲内で種々の変形及び変更が可能である。たとえば、壁面構造８、１３、１７の高さ及び壁面構造８、１３、１７が嵌合する受け部１０の深さは、壁面構造８、１３、１７及び受け部１０の全体に亘って不均一でもよい。
【符号の説明】
【００４６】
１  レンズ本体
２  駆動装置
２ａ  駆動部
３  操作部材
５、１２  レンズ接続部（第１のコネクタ部）
６、１１、１６  駆動装置接続部（第２のコネクタ部）
７  接点ピン（第２の端子）
８、１３、１７  壁面構造（凸部）
９  接点面（第１の端子）
１０  受け部（凹部）
【図１】
2015200703.tif 000003
【図２】
2015200703.tif 000004
【図３】
2015200703.tif 000005
【図４】
2015200703.tif 000006
【図５】
2015200703.tif 000007
【図６】
2015200703.tif 000008
【図７】
2015200703.tif 000009
【図８】
2015200703.tif 000010
【図９】
2015200703.tif 000011
【図１０】
2015200703.tif 000012
【図１１】
2015200703.tif 000013